(57)【要約】【課題】携帯端末装置と車載装置を連携したシステムにて、プライベートモードに設定する操作を同乗者に知られずに行いたい。【解決手段】携帯端末装置２０の制御部２２は、表示部に表示されている画面に対応する画面を、車載装置１０の表示部にも表示させるよう、表示データを車載装置１０に送出する。また制御部２２は、携帯端末装置２０の操作部に対して操作がなされると携帯端末装置２０をノーマルモードで動作させ、車載装置１０の操作部に操作がなされると携帯端末装置２０をプライベートモードで動作させる。【選択図】図１
2014187415.tif 000002
【特許請求の範囲】
【請求項１】
車載装置と接続される携帯端末装置であって、
画面を表示する表示部と、
ユーザの操作を受け付ける操作部と、
前記表示部に表示されている画面に対応する画面を、前記車載装置の表示部にも表示させるよう、表示データを前記車載装置に送出する制御部と、を備え、
前記制御部は、前記操作部に対して操作がなされると本携帯端末装置をノーマルモードで動作させ、前記車載装置の操作部に操作がなされると本携帯端末装置をプライベートモードで動作させることを特徴とする携帯端末装置。
【請求項２】
前記表示部および前記操作部は、タッチパネルで構成されることを特徴とする請求項１に記載の携帯端末装置。
【請求項３】
前記制御部は、本携帯端末装置のタッチパネルに表示されたロック画面が解除操作されると本携帯端末装置をノーマルモードで動作させ、前記車載装置のタッチパネルに表示されたロック画面が解除操作されると本携帯端末装置をプライベートで動作させることを特徴とする請求項２に記載の携帯端末装置。
【請求項４】
車載装置と接続される携帯端末装置であって、
画面を表示する表示部と、
ユーザの操作を受け付ける操作部と、
前記表示部に表示されている画面に対応する画面を、前記車載装置の表示部にも表示させるよう、表示データを前記車載装置に送出する制御部と、を備え、
前記制御部は、前記操作部に対して操作がなされると本携帯端末装置をプライベートモードで動作させ、前記車載装置の操作部に操作がなされると本携帯端末装置をノーマルモードで動作させることを特徴とする携帯端末装置。
【請求項５】
車載装置と接続される携帯端末装置に搭載されるコンピュータに、
前記携帯端末装置に表示されている画面に対応する画面を、前記車載装置にも表示させるよう、表示データを前記車載装置に送出する送出機能と、
前記携帯端末装置に対して操作がなされると本携帯端末装置をノーマルモードで動作させ、前記車載装置に対して操作がなされると本携帯端末装置をプライベートモードで動作させるモード切替機能と、
を実現させることを特徴とするプログラム。
【請求項６】
車載装置と接続される携帯端末装置に搭載されるコンピュータに、
前記携帯端末装置に表示されている画面に対応する画面を、前記車載装置にも表示させるよう、表示データを前記車載装置に送出する送出機能と、
前記携帯端末装置に対して操作がなされると本携帯端末装置をプライベートモードで動作させ、前記車載装置に対して操作がなされると本携帯端末装置をノーマルモードで動作させるモード切替機能と、
を実現させることを特徴とするプログラム。
【請求項７】
携帯端末装置と接続される車載装置であって、
前記携帯端末装置から受信した表示データをもとに、前記携帯端末装置に表示されている画面に対応する画面を表示する表示部と、
ユーザの操作を受け付ける操作部と、を備え、
前記操作部に対して操作がなされると前記携帯端末装置がプライベートモードで動作して前記表示部にプライベートモードの画面が表示され、前記携帯端末装置の操作部に操作がなされると前記携帯端末装置がノーマルモードで動作して前記表示部にノーマルモードの画面が表示されることを特徴とする車載装置。
【請求項８】
前記表示部および前記操作部は、タッチパネルで構成されることを特徴とする請求項７に記載の車載装置。
【請求項９】
本車載装置のタッチパネルに表示されたロック画面が解除操作されると、前記携帯端末装置がプライベートモードで動作して本車載装置のタッチパネルにプライベートモードの画面が表示され、前記携帯端末装置のタッチパネルに表示されたロック画面が解除操作されると、前記携帯端末装置がノーマルモードで動作して前記車載装置のタッチパネルにノーマルモードの画面が表示されることを特徴とする請求項８に記載の車載装置。
【請求項１０】
携帯端末装置と接続される車載装置であって、
前記携帯端末装置から受信した表示データをもとに、前記携帯端末装置に表示されている画面に対応する画面を表示する表示部と、
ユーザの操作を受け付ける操作部と、を備え、
前記操作部に対して操作がなされると前記携帯端末装置がノーマルモードで動作して前記表示部にノーマルモードの画面が表示され、前記携帯端末装置の操作部に操作がなされると前記携帯端末装置がプライベートモードで動作して前記表示部にプライベートモードの画面が表示されることを特徴とする車載装置。
【発明の詳細な説明】
【技術分野】
【０００１】
本発明は、スマートフォンなどの携帯端末装置、携帯端末装置に搭載されるべきプログラム、携帯端末装置と連携する車載装置に関する。
【背景技術】
【０００２】
近年、スマートフォンと車載装置（例えば、カーナビゲーション装置、ディスプレイオーディオなど）を連携するシステムが普及してきている。例えば、スマートフォンと車載装置を接続し、スマートフォンの画面を車載装置のディスプレイに表示させる。また車載装置のタッチパネルを操作してスマートフォンの機能を利用するシステムも提案されている（例えば、特許文献１参照）。
【先行技術文献】
【特許文献】
【０００３】
【特許文献１】特開２０１２−１０２８７号公報
【発明の概要】
【発明が解決しようとする課題】
【０００４】
多くのスマートフォンには、指定した人物、グループの電話帳、発着信履歴、送受信メールなどを非表示、アクセス制限にするモード（本明細書では、プライベートモードという）が搭載されている。スマートフォンの画面を車載ディスプレイにも表示させる場合にて、同乗者がいる場合、プライベートな情報を車載ディスプレイに表示させたくない場合がある。ただし、プライベートモードに設定する操作があからさまな場合、同乗者の気分を害することがある。
【０００５】
本発明はこうした状況に鑑みなされたものであり、その目的は、スマートフォンなどの携帯端末装置と車載装置を連携したシステムにて、プライベートモードに設定する操作を同乗者に知られずに行うことができる技術を提供することにある。
【課題を解決するための手段】
【０００６】
本発明のある態様の携帯端末装置は、車載装置と接続される携帯端末装置であって、画面を表示する表示部と、ユーザの操作を受け付ける操作部と、表示部に表示されている画面に対応する画面を、車載装置の表示部にも表示させるよう、表示データを車載装置に送出する制御部と、を備える。制御部は、操作部に対して操作がなされると本携帯端末装置をノーマルモードで動作させ、車載装置の操作部に操作がなされると本携帯端末装置をプライベートモードで動作させる。
【０００７】
本発明のさらに別の態様は、車載装置である。この装置は、携帯端末装置と接続される車載装置であって、携帯端末装置から受信した表示データをもとに、携帯端末装置に表示されている画面に対応する画面を表示する表示部と、ユーザの操作を受け付ける操作部と、を備える。車載装置の操作部に対して操作がなされると携帯端末装置がプライベートモードで動作して表示部にプライベートモードの画面が表示され、携帯端末装置の操作部に操作がなされると携帯端末装置がノーマルモードで動作して表示部にノーマルモードの画面が表示される。
【０００８】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００９】
本発明によれば、携帯端末装置と車載装置を連携したシステムにて、プライベートモードに設定する操作を同乗者に知られずに行うことができる。
【図面の簡単な説明】
【００１０】
【図１】本発明の実施の形態に係る、車載装置と携帯端末装置の連携システムの構成を示す図である。
【図２】スマートフォンのタッチパネルと、カーナビゲーション装置のタッチパネルに同じロック画面が表示されている状態にて、スマートフォンのタッチパネルが操作された場合の例を示す図である。
【図３】スマートフォンのタッチパネルと、カーナビゲーション装置のタッチパネルに同じロック画面が表示されている状態にて、カーナビゲーション装置のタッチパネルが操作された場合の例を示す図である。
【図４】実施例１に係るスマホ連携システムの動作を説明するためのフローチャートである。
【図５】実施例２に係るスマホ連携システムの動作を説明するためのフローチャートである。
【発明を実施するための形態】
【００１１】
図１は、本発明の実施の形態に係る、車載装置１０と携帯端末装置２０の連携システムの構成を示す図である。車載装置１０はカーナビゲーション装置、ディスプレイオーディオなどが該当する。携帯端末装置２０はスマートフォン、フィーチャーフォン、タブレット、携帯型音楽プレーヤ、携帯型ゲーム機などが該当する。以下、本実施の形態では車載装置１０としてカーナビゲーション装置、携帯端末装置２０としてスマートフォンを想定する。
【００１２】
車載装置１０は、接続部１１、制御部１２、記憶部１３、操作表示部１４を備える。携帯端末装置２０は、接続部２１、制御部２２、記憶部２３、操作表示部２４、アンテナ２５を備える。
【００１３】
車載装置１０の制御部１２および携帯端末装置２０の制御部２２のそれぞれは、ハードウェア的には、任意のプロセッサ、メモリ、その他のＬＳＩで実現でき、ソフトウェア的にはメモリにロードされたプログラムなどによって実現されるが、ここではそれらの連携によって実現される機能ブロックを描いている。従って、制御部がハードウェアのみ、ソフトウェアのみ、またはそれらの組み合わせによっていろいろな形で実現できることは、当業者には理解されるところである。
【００１４】
また本明細書では、車載装置１０及び携帯端末装置２０の構成要素の内、実施の形態の説明に必要な構成要素のみを描いている。以下の説明では、車載装置１０としてのカーナビゲーション装置、および携帯端末装置２０としてのスマートフォンのそれぞれが一般的に備える、本実施の形態に関連しない機能の説明は割愛する。
【００１５】
車載装置１０において接続部１１は、外部機器と接続するためのインタフェースである。当該インタフェースとして例えば、ＵＳＢ、ＨＤＭＩ（登録商標）などの有線通信、Bluetooth（登録商標）、Ｗｉ−Ｆｉ（登録商標）、赤外線通信などの短距離無線通信を採用できる。
【００１６】
制御部１２は、車載装置１０全体を制御する。制御部１２の詳細な動作は後述する。記憶部１３は、書き換え可能な不揮発性の記憶領域である。例えば、ＨＤＤ、ＣＤ／ＤＶＤ、フラッシュメモリの少なくとも一つを採用できる。フラッシュメモリは、メモリカード、ＵＳＢメモリ、ＳＳＤなどが該当する。
【００１７】
操作表示部１４は、画面を表示する表示部、及びユーザの操作を受け付ける操作部である。表示部には液晶ディスプレイ、有機ＥＬディスプレイなどを採用できる。操作部はタッチパネル、ハードキーなどを採用できる。本実施の形態では表示部および操作部が一体的に形成されるタッチパネルディスプレイ（以下、単にタッチパネルと表記する）を採用する。さらに電源ボタンなどのハードキーも採用する。タッチパネルは例えば、静電式を採用できる。
【００１８】
携帯端末装置２０において接続部２１は、外部機器と接続するためのインタフェースである。当該インタフェースとして例えば、ＵＳＢ（マイクロＵＳＢを含む）、ＨＤＭＩ（登録商標）などの有線通信、Bluetooth（登録商標）、Ｗｉ−Ｆｉ（登録商標）、赤外線通信などの短距離無線通信を採用できる。制御部２２は、携帯端末装置２０全体を制御する。制御部２２の詳細な動作は後述する。記憶部２３は、書き換え可能な不揮発性の記憶領域である。例えば、フラッシュメモリを採用できる。
【００１９】
操作表示部２４は、画面を表示する表示部、及びユーザの操作を受け付ける操作部である。表示部には液晶ディスプレイ、有機ＥＬディスプレイなどを採用できる。操作部はタッチパネル、ハードキーなどを採用できる。本実施の形態では表示部および操作部が一体的に形成されるタッチパネルを採用する。さらに電源ボタン、ホームボタンなどのハードキーも採用する。アンテナ２５は、携帯電話網の基地局装置と無線通信するための部材である。
【００２０】
本実施の形態は、車載装置１０の接続部１１と、携帯端末装置２０の接続部２１がＵＳＢケーブルで接続され、携帯端末装置２０の操作表示部２４に表示される画面を、車載装置１０の操作表示部２４にも表示させる使用形態を前提とする。多くのスマートフォンの画面サイズは３〜５インチである。スマートフォンを、ダッシュボード上に設置されたホルダに固定した場合、運転席や助手席のユーザからは画面サイズが小さく感じられる。
【００２１】
そこでスマートフォンのディスプレイより、大きなディスプレイを備えるカーナビゲーション装置と連携することにより、スマートフォンの画面を、より大きなディスプレイで見ることができる。例えば、スマートフォンのインターネット接続機能を利用して、ウェブ画面をカーナビゲーション装置にミラー表示できる。またスマートフォン内に記録された音楽データ、映像データを、より高スペックなスピーカ、ディスプレイで再生できる。
【００２２】
ところで、スマートフォンにはプライベートモードを搭載している機種がある。通常、スマートフォンには個人情報が多く含まれており、他人に知られたくない情報も含まれている。例えば、特定の人物の電話番号、発着信履歴、メールアドレス、送受信メール履歴、ウェブページのお気に入り、アクセス履歴などが該当する。ユーザは、特定の人物の電話番号などの特定情報をシークレットに指定することにより、その特定情報を非表示およびアクセス禁止に設定する。プライベートモードが指定され、スマートフォンがプライベートモードで動作している場合は、シークレットに指定された特定情報が非表示およびアクセス禁止になる。
【００２３】
本実施の形態では、運転者が同乗者に悟られることなく、さり気ない操作でプライベートモードを指定できる。携帯端末装置２０の制御部２２は、携帯端末装置２０に対して操作がなされるとノーマルモードで動作させ、車載装置１０に対して操作がなされるとプライベートモードで動作させる。ノーマルモードはシークレット設定の制限を受けず、表示およびアクセス許可するモードである。以下、具体例を挙げながら説明する。
【００２４】
図２は、スマートフォンのタッチパネル２４ａと、カーナビゲーション装置のタッチパネル１４ａに同じロック画面が表示されている状態にて、スマートフォンのタッチパネル２４ａが操作された場合の例を示す図である。図３は、スマートフォンのタッチパネル２４ａと、カーナビゲーション装置のタッチパネル１４ａに同じロック画面が表示されている状態にて、カーナビゲーション装置のタッチパネル１４ａが操作された場合の例を示す図である。
【００２５】
図２の上段は、スマートフォンのタッチパネル２４ａ上の鍵アイコンがフリックされた状態を示している。鍵アイコンがフリックされると画面ロックが解除される。この場合、スマートフォンに対して操作がなされたことになるため、スマートフォンはノーマルモードで動作する。
【００２６】
図２、３の例では電話帳のアプリケーション画面が表示される。図２、３の例では、スマートフォンの所有者が男性であり、４人分の電話番号を登録しており、２人の女性の電話番号をシークレット設定していることを前提とする。図２の例ではスマートフォンがノーマルモードで動作するため、図２の下段に示すように、全ての登録電話番号が表示される。
【００２７】
図３の上段は、カーナビゲーション装置のタッチパネル１４ａ上の鍵アイコンがフリックされる状態を示している。鍵アイコンがフリックされると画面ロックが解除される。この場合、カーナビゲーション装置に対して操作がなされたことになるため、スマートフォンはプライベートモードで動作する。図３の下段に示すように、２人の女性の電話番号は表示されず、２人の男性の電話番号のみが表示される。
【００２８】
なお図２、３の例のようにロック解除操作は、タッチパネル上の特定領域（例えば、鍵アイコン、スライドバー）に対するフリックに限らず、タッチパネル上の任意の領域に対するフリックであってもよい。またフリックに限らず、タップ、ドラッグ、ピンチなど他のジェスチャーでもよい。
【００２９】
以下、上述したスマートフォンとカーナビゲーション装置の連携システム（以下、スマホ連携システムという）を実現するための２つの実施例を説明する。２つの実施例に共通する前提として、携帯端末装置２０の記憶部２３は、タッチパネルに対するジェスチャー操作を認識するための座標情報を保持する。当該座標情報は、座標位置の変化パターンで規定される。
【００３０】
図４は、実施例１に係るスマホ連携システムの動作を説明するためのフローチャートである。スマートフォンにて、タッチパネル２４ａにジェスチャー操作がなされると（Ｓ１２０のＹ）、タッチパネル２４ａは当該ジェスチャー操作を座標情報に変換し（Ｓ１２１）、制御部２２に出力する。
【００３１】
カーナビゲーション装置にて、タッチパネル１４ａにジェスチャー操作がなされると（Ｓ１１０のＹ）、タッチパネル１４ａは当該ジェスチャー操作を座標情報に変換し（Ｓ１１１）、制御部１２に出力する。制御部１２は当該座標情報を、接続部１１を介してスマートフォンに送出する（Ｓ１１２）。
【００３２】
スマートフォンにて、制御部２２は、タッチパネル２４ａから入力された座標情報またはカーナビゲーション装置から接続部２１を介して受信した座標情報と、記憶部２３に保持されているロック解除ジェスチャーの座標情報とを比較する（Ｓ１２２）。両者が一致しない場合（Ｓ１２２のＮ）、ステップＳ１２０に遷移する。両者が一致した場合（Ｓ１２２のＹ）、制御部２２は、ロック解除ジェスチャーの座標情報と一致した座標情報がタッチパネル２４ａからのものか、カーナビゲーション装置からのものか判定する（Ｓ１２３）。
【００３３】
カーナビゲーション装置からの座標情報である場合（Ｓ１２３のＹ）、制御部２２はプライベートモードに設定する（Ｓ１２４）。一方、タッチパネル２４ａからの座標情報である場合（Ｓ１２３のＮ）、制御部２２はノーマルモードに設定する（Ｓ１２５）。制御部２２は設定モードに応じた表示データを生成する（Ｓ１２６）。制御部２２は当該表示データを接続部２１を介して、カーナビゲーション装置に送出する（Ｓ１２７）。
【００３４】
スマートフォンのタッチパネル２４ａは、制御部２２から入力される表示データをもとに画面表示する（Ｓ１２８）。カーナビゲーション装置のタッチパネル１４ａは、スマートフォンから接続部１１および制御部１２を介して入力される表示データをもとに、画面表示する（Ｓ１１３）。
【００３５】
実施例１はカーナビゲーション装置を、単なる外部ディスプレイとして使用する例である。
【００３６】
次に実施例２を説明する。実施例２ではスマートフォンの記憶部２３が、タッチパネルに対するジェスチャー操作を認識するための座標情報を保持するだけでなく、カーナビゲーション装置の記憶部１３も当該座標情報を保持していることを前提とする。当該座標情報は、スマートフォンからカーナビゲーション装置に送り込まれる。
【００３７】
図５は、実施例２に係るスマホ連携システムの動作を説明するためのフローチャートである。図５のフローチャートでは、スマートフォンからカーナビゲーション装置へ、ロック解除ジェスチャーを認識するための座標情報が転送され、カーナビゲーション装置の記憶部１３に登録する処理は、前提として省略されている。
【００３８】
スマートフォンにて、タッチパネル２４ａにジェスチャー操作がなされると（Ｓ２２０のＹ）、タッチパネル２４ａは当該ジェスチャー操作を座標情報に変換し（Ｓ２２１）、制御部２２に出力する。制御部２２は、タッチパネル２４ａから入力された座標情報と、記憶部２３に保持されているロック解除ジェスチャーの座標情報とを比較する（Ｓ２２２）。両者が一致しない場合（Ｓ２２２のＮ）、ステップＳ２２０に遷移する。両者が一致した場合（Ｓ２２２のＹ）、制御部２２はノーマルモードに設定する（Ｓ２２３）。
【００３９】
カーナビゲーション装置にて、タッチパネル１４ａにジェスチャー操作がなされると（Ｓ２１０のＹ）、タッチパネル１４ａは当該ジェスチャー操作を座標情報に変換し（Ｓ２１１）、制御部１２に出力する。制御部１２は、タッチパネル１４ａから入力された座標情報と、記憶部１３に保持されているロック解除ジェスチャーの座標情報とを比較する（Ｓ２１２）。
【００４０】
両者が一致しない場合（Ｓ２１２のＮ）、ステップＳ２１０に遷移する。両者が一致した場合（Ｓ２１２のＹ）、制御部１２はスマートフォンに、ロック解除指示およびプライベートモードへの設定指示を含む指示情報を生成する（Ｓ２１３）。制御部１２は当該指示情報を、接続部１１を介してスマートフォンに送出する（Ｓ２１４）。
【００４１】
スマートフォンにて制御部２２は、カーナビゲーション装置から接続部２１を介して指示情報を受信するとプライベートモードに設定する（Ｓ２２４）。制御部２２は設定モードに応じた表示データを生成する（Ｓ２２５）。制御部２２は当該表示データを接続部２１を介して、カーナビゲーション装置に送出する（Ｓ２２６）。
【００４２】
スマートフォンのタッチパネル２４ａは、制御部２２から入力される表示データをもとに画面表示する（Ｓ２２７）。カーナビゲーション装置のタッチパネル１４ａは、スマートフォンから接続部１１および制御部１２を介して入力される表示データをもとに、画面表示する（Ｓ２１５）。
【００４３】
実施例２ではカーナビゲーション装置でもジェスチャーの判定を行う。従ってカーナビゲーション装置からスマートフォンへ送信される情報は、座標情報ではなく指示情報になる。従って実施例１より通信データ量が低減される。また実施例１と比較し、スマートフォンにおけるジェスチャー判定の回数が減るため、スマートフォンの制御部２２の負荷が軽減される。
【００４４】
実施例１、２にて、スマートフォンの処理を実行させるためのアプリケーションプログラムは、スマートフォンに予め組み込まれていてもよいし、インターネット上のサーバから事後的にダウンロードされてもよい。またスマートフォンに、プログラムが記録された外部メディアを装着してインストールしてもよい。
【００４５】
以上説明したように本発明の実施の形態によれば、スマホ連携システムにてスマートフォンに対して操作がなされるか、カーナビゲーション装置に対して操作がなされるかに応じて、ノーマルモードとプライベートモードを切り替えることができる。従って、プライベートモードに設定する操作を同乗者に知られずに行うことができる。また、どちらの機器に対する操作も操作自体は同じであるため、ユーザは追加操作を覚える必要がない。また、操作も特殊なジェスチャーにする必要がないため、操作自体により同乗者に違和感を与えることもない。
【００４６】
以上、本発明を実施の形態をもとに説明した。こられ実施の形態は例示であり、それらの各構成要素や各処理プロセスの組合せにいろいろな変形例が可能なこと、またそうした変形例も本発明の範囲にあることは当業者に理解されるところである。
【００４７】
上述した実施の形態では、携帯端末装置２０に対して操作がなされると携帯端末装置２０がノーマルモードで動作し、車載装置１０に対して操作がなされるとプライベートモードで動作した。この点、この関係を逆にしてもよい。即ち、携帯端末装置２０に対して操作がなされると携帯端末装置２０がプライベートモードで動作し、車載装置１０に対して操作がなされるとノーマルモードで動作する。
【００４８】
また上述した実施例では、画面ロック状態での操作を説明したが、画面表示中における操作であってもよい。次の操作が携帯端末装置２０に対してなされるか、車載装置１０に対してなされるかに応じて、次の画面をノーマルモードで表示するかプライベートモードで表示するか決定すればよい。
【００４９】
また上述した実施の形態では、タッチパネルへのジェスチャー操作を説明したが、ハードキーに対する操作であってもよい。例えば、多くのスマートフォンは省電力のため、所定時間操作がなされないと画面が消灯する設定となっているが、消灯した状態から復帰するには電源ボタンを押下する操作を必要とする。
【００５０】
次の操作が携帯端末装置２０の電源ボタンの押下か、車載装置１０の電源ボタンの押下かに応じて、ノーマルモードで画面表示するかプライベートモードで画面表示するか決定する。なおボタンの種類は携帯端末装置２０と車載装置１０で異なっていてもよい。また、一方がハードキーに対する操作で、他方がタッチパネルに対する操作であってもよい。
【符号の説明】
【００５１】
１０  車載装置、  １１  接続部、  １２  制御部、  １３  記憶部、  １４  操作表示部、  １４ａ  タッチパネル、  ２０  携帯端末装置、  ２１  接続部、  ２２  制御部、  ２３  記憶部、  ２４  操作表示部、  ２４ａ  タッチパネル、  ２５  アンテナ。
【図１】
2014187415.tif 000003
【図２】
2014187415.tif 000004
【図３】
2014187415.tif 000005
【図４】
2014187415.tif 000006
【図５】
2014187415.tif 000007